(57)【要約】      （修正有）【課題】音響信号を入力として解釈するコンピューティング装置を提供する。【解決手段】システム１００は、ｅリーダ装置１１０として示される電子ディスプレイ装置と、ネットワークサービス１２０とを含む。ネットワークサービス１２０は、ｅリーダ装置１１０にインストールされる１つ又は複数のアプリケーションと共に様々なサービスを提供する複数のサーバ及び他のコンピューティングリソースを含む。ネットワークサービス１２０を通じて提供されるｅブックサービスは、ｅブックが販売、共有、ダウンロード及び／又は格納されるサービスを含む。ネットワークサービス１２０は、コンテンツレンダリングサービス（例えば、ストリーミングメディア）又は他のネットワークアプリケーション環境若しくはサービスを含む様々な他のコンテンツサービスを提供する。【選択図】図１
2018198078.tif 000002
【特許請求の範囲】
【請求項１】
互いに対向する表面及び裏面と、該表面及び裏面の間に設けられた側面とを有する略直方体形状の端末装置であって、
前記表面に構成されたディスプレイと、
前記裏面及び前記側面の少なくとも一部を構成すると共に、所定方向に交互に配列された複数の凸部及び凹部からなる凹凸部を少なくとも一部に有するハウジングと、
ユーザによる前記凹凸部を擦る操作により発生する音響信号を検出するマイクロフォンと、
プロセッサと、を備え、
前記プロセッサは、
前記マイクロフォンにより検出された音響信号に基づいて操作内容を特定する特定手段と、
前記特定手段により特定された操作内容に応じて、前記ディスプレイに表示されたコンテンツに関する処理を制御する制御手段と、を含み、
前記凹凸部における凹部及び凸部の配列の方向に直行する方向の幅は、前記配列の一方側から他方側に進むに従い漸次変化し、
ユーザによる、前記凹凸部を凹部及び凸部の配列方向に沿う第１の方向に擦る操作により発生する第１の音響信号は、前記第１の方向の反対の方向である第２の方向に擦る操作により発生する第２の音響信号と異なり、
前記特定手段は、前記第１及び第２の音響信号のそれぞれを、異なる操作内容として特定する、
端末装置。
【請求項２】
前記ハウジングは、前記裏面の一部に前記凹凸部を有する、請求項１に記載の端末装置。
【請求項３】
前記ハウジングは、前記裏面における長手方向中央部より上方に前記凹凸部を有する、
請求項２に記載の端末装置。
【請求項４】
前記凹凸部は、前記ハウジングの裏面における短手方向の中心位置からいずれかの方向にオフセットされた位置に設けられ、
前記凹凸部の凹部及び凸部は、前記裏面における下方向に向かうに従って前記中心位置に近付く方向に沿って配列される、
請求項３に記載の端末装置。
【請求項５】
前記ハウジングは、前記側面の一部に前記凹凸部を有する、請求項１〜４のいずれか一項に記載の端末装置。
【請求項６】
前記ハウジングは、前記側面における上下方向中央部より上方に前記凹凸部を有する、
請求項５に記載の端末装置。
【請求項７】
前記制御手段は、前記ディスプレイに表示されたコンテンツのページ遷移を制御する、  請求項１〜６のいずれか一項に記載の端末装置。
【請求項８】
端末装置に着脱可能なケースであって、
前記端末装置は、
ディスプレイと、
音響信号を検出するマイクロフォンと、
プロセッサと、を備え、
前記プロセッサは、
前記マイクロフォンにより検出された音響信号に基づいて操作内容を特定する特定手段と、
前記特定手段により特定された操作内容に応じて、前記ディスプレイに表示されたコンテンツに関する処理を制御する制御手段と、を含み、
前記ケースは、所定方向に交互に配列された複数の凸部及び凹部からなる凹凸部を少なくとも一部に有し、
前記マイクロフォンは、ユーザによる前記凹凸部を擦る操作により発生する音響信号を検出可能であり、
前記凹凸部における凹部及び凸部の配列の方向に直行する方向の幅は、前記配列の一方側から他方側に進むに従い漸次変化し、
ユーザによる、前記凹凸部を凹部及び凸部の配列方向に沿う第１の方向に擦る操作により発生する第１の音響信号は、前記第１の方向の反対の方向である第２の方向に擦る操作により発生する第２の音響信号と異なり、
前記特定手段は、前記第１及び第２の音響信号のそれぞれを、異なる操作内容として特定する、
ケース。
【請求項９】
互いに対向する表面及び裏面と、該表面及び裏面の間に設けられた側面とを有する略直方体形状を有し、
前記表面に構成されたディスプレイと、
前記裏面及び前記側面の少なくとも一部を構成すると共に、所定方向に交互に配列された複数の凸部及び凹部からなる凹凸部を少なくとも一部に有するハウジングと、
ユーザによる前記凹凸部を擦る操作により発生する音響信号を検出するマイクロフォンと、
プロセッサと、を備える端末装置における方法であって、
前記マイクロフォンにより検出された音響信号に基づいて操作内容を特定する特定ステップと、
前記特定ステップにおいて特定された操作内容に応じて、前記ディスプレイに表示されたコンテンツに関する処理を制御する制御ステップと、を有し、
前記凹凸部における凹部及び凸部の配列の方向に直行する方向の幅は、前記配列の一方側から他方側に進むに従い漸次変化し、
ユーザによる、前記凹凸部を凹部及び凸部の配列方向に沿う第１の方向に擦る操作により発生する第１の音響信号は、前記第１の方向の反対の方向である第２の方向に擦る操作により発生する第２の音響信号と異なり、
前記特定ステップにおいて、前記第１及び第２の音響信号のそれぞれを、異なる操作内容として特定する、
方法。
【発明の詳細な説明】
【技術分野】
【０００１】
[0001]本明細書に記載の実施例は、音響信号入力を使用してページ遷移動作を処理することに関する。
【背景技術】
【０００２】
[0002]電子パーソナルディスプレイは、ユーザに情報を表示するモバイル電子装置である。電子パーソナルディスプレイは一般に、パーソナルコンピュータの機能の多くが可能であるが、ユーザ通常、電子パーソナルディスプレイ自体とは分離され、又は電子パーソナルディスプレイ自体に結合されるが電子パーソナルディスプレイ自体とは別個のものであるキーボードの使用なしに、電子パーソナルディスプレイと直接対話することができる。電子パーソナルディスプレイのいくつかの例には、モバイルデジタル装置／タブレットコンピュータ（（例えば、Ａｐｐｌｅ  ｉＰａｄ（登録商標）、Ｍｉｃｒｏｓｏｆｔ（登録商標）  Ｓｕｒｆａｃｅ（登録商標）、Ｓａｍｓｕｎｇ  Ｇａｌａｘｙ  Ｔａｂ（登録商標）など）、ハンドヘルドマルチメディアスマートフォン（例えば、Ａｐｐｌｅ  ｉＰｈｏｎｅ（登録商標）、Ｓａｍｓｕｎｇ  Ｇａｌａｘｙ  Ｓ（登録商標）など）、及びハンドヘルド電子リーダ（例えば、Ａｍａｚｏｎ  Ｋｉｎｄｌｅ（登録商標）、Ｂａｒｎｅｓ  ａｎｄ  Ｎｏｂｌｅ  Ｎｏｏｋ（登録商標）、Ｋｏｂｏ  Ａｕｒａ  ＨＤなど）が含まれる。
【０００３】
[0003]ｅリーダ装置とも呼ばれる電子リーダは、電子書籍（ｅＢｏｏｋ）、電子雑誌、及び他のデジタルコンテンツを読むために使用される電子パーソナルディスプレイである。例えば、ユーザが紙ベースの書籍中の印刷されたページのアナログコンテンツを読むのとほぼ同様にデジタルコンテンツを読むことができるように、ｅブックのデジタルコンテンツが、ｅリーダのディスプレイ上に英数字文字及び／又はグラフィックイメージとして表示される。ｅリーダ装置は、普通なら従来の紙フォーマットでは大量の空間を潜在的に占有するはずのデジタルコンテンツの大量のコレクションを格納、位相、及び閲覧するのに好都合なフォーマットを提供する。
【０００４】
[0004]いくつかの場合には、ｅリーダ装置は、可読コンテンツを表示するのに特に良好に動作するように設計された特定用途向け装置である。例えば、特定用途向けｅリーダ装置は、グレアを低減し、高照明条件で良好に動作し、及び／又は実際の紙上のテキストの外観を模倣するディスプレイを含む。そのような特定用途向けｅリーダ装置は、ユーザが読むためのコンテンツを表示するのに秀でているが、とりわけ、イメージを表示すること、オーディオを発すること、オーディオを記録すること、ウェブサーフィンなどの他の機能も実施することができる。
【０００５】
[0005]ネットワークサービスからサービス及びリソースを受け取ることのできる多数の種類の家庭用装置も存在する。そのような装置は、アプリケーションを操作することができ、又は特定のサービスの特定のアカウントに装置をリンクする他の機能を提供することができる。例えば、ｅリーダ装置は通常、オンライン書店にリンクし、メディア再生装置はしばしば、ユーザがオンラインメディアライブラリにアクセスすることを可能にするアプリケーションを含む。この状況では、ユーザアカウントにより、ユーザが装置の最大限の利点及び機能を受けることが可能となる。
【図面の簡単な説明】
【０００６】
【図１】一実施形態による、音響入力機能を備えるコンピューティング装置上でｅブックサービスを提供するシステムを示す図である。
【図２】本明細書に記載の１つ又は複数の実施形態と共に使用されるｅリーダ装置又は他の電子パーソナルディスプレイ装置の一例を示す図である。
【図３Ａ】いくつかの実施形態による、触覚音響入力機構を有するｅリーダ装置の正面図である。
【図３Ｂ】他の実施形態による、触覚音響入力機構を有するｅリーダ装置の背面図である。
【図３Ｃ】他の実施形態による、触覚音響入力機構を有するｅリーダ装置の正面図である。
【図３Ｄ】他の実施形態による、触覚音響入力機構を有するｅリーダ装置の背面図である。
【図４】１つ又は複数の実施形態による、音響信号を検出及び処理する音響インターフェースを示す図である。
【図５】１つ又は複数の実施形態による、ページ付けされたコンテンツを表示するｅリーダシステムを示す図である。
【図６】１つ又は複数の実施形態による、ページ付けされたコンテンツを表示する方法を示す図である。
【図７】ハウジングの裏面に設けられる凹凸部の他の例を示す図である。
【図８Ａ】端末装置に着脱可能なハウジングを示す図である。
【図８Ｂ】端末装置に着脱可能なハウジングを示す図である。
【発明を実施するための形態】
【０００７】
[0015]本明細書に記載の実施形態は、音響信号を入力として解釈するコンピューティング装置を提供する。いくつかの実施形態は、ｅブックなどのページ付けされたコンテンツを表示する状況などで、そのような音響信号を受信し、ページめくり動作として解釈することを可能にする。音響信号は、例えば、コンピューティング装置のハウジングインターフェースを通じて作成されたユーザ発生音に対応することができる。いくつかの実施形態では、触覚インターフェースとの間の指スワイプ又は接触に対応するコンピューティング装置のユーザ操作が、ページめくり命令として解釈される音響信号を生成する。
【０００８】
[0016]本明細書では、「ページ遷移」という用語は、コンテンツのレンダリング済みページが別のそのようなページに遷移する動作を意味するものとする。所与のページをカード、パネル、又はウィンドウの形態でレンダリングすることができる。ｅリーディング活動の状況では、ページ遷移は、ｅブックのページが別のページに遷移するイベントに対応することができる。例として、ｅリーディング活動の状況でのページ遷移は、単一のページ、章、又はクラスタごとのページを遷移することを指すことができる。
【０００９】
[0017]さらに、いくつかの実施形態では、コンピューティング装置は、ハウジングと、画面を有するディスプレイアセンブリと、ページ付けされたコンテンツアイテムに関する初期ページ状態の少なくとも一部を表示するプロセッサとを含む。触覚インターフェースがハウジングの表面上に設けられ、ユーザ操作に基づいて複数の音響信号が生成される。オーディオ入力装置が、触覚インターフェースによって生成された音響信号を検出するためにハウジングの一部と共に設けられる。プロセッサは、触覚インターフェースによって生成された複数の音響信号を複数のユーザ入力としてそれぞれ解釈すべきであり、第１のタイプの１つ又は複数の音響信号がページ遷移命令に対応する。プロセッサは、少なくとも初期ページ状態を表示することから、ページめくりの値又はタイプによって決定される別のページ状態を表示することに遷移することにより、第１のタイプの音響信号にさらに応答する。
【００１０】
[0018]触覚インターフェースは、ユーザ操作に応答して複数の音響信号を生成するために複数のピーク及びバレーを備えることができる。いくつかの実施形態では、複数のピーク及びバレーが、異なるユーザ操作に応答して触覚インターフェースが異なる音響信号を生成することを可能にする格子型に構成される。そのようなユーザ操作の例は、１つ又は複数の方向の指スワイプを含むことができる。いくつかの実施形態では、複数のピーク及びバレーは、変動する程度又はサイズであり、それによって、スワイプされたとき、触覚インターフェースは、スワイプの方向性を示す音響信号を生成する。
【００１１】
[0019]プロセッサは、第１の方向の指スワイプによって生成された音響信号を順方向ページ遷移命令として解釈し、初期ページ状態を表示することから、後続のページ状態を表示することに遷移することによって順方向ページ遷移命令に応答することができる。さらに、プロセッサは、第２の方向の指スワイプによって生成された音響信号を逆方向ページ遷移命令として解釈し、初期ページ状態を表示することから、前のページ状態を表示することに遷移することによって逆方向ページ遷移命令に応答することができる。例えば、第２の方向は第１の方向と反対でよい。
【００１２】
[0020]いくつかの実施形態では、ハウジングの裏面に触覚インターフェースを設けることができる。代替又は追加として、ハウジングの側面に触覚インターフェースを設けることができる。例えば、触覚インターフェースをハウジングの表面に重ねることができる。或いは、触覚インターフェースをハウジングの表面と一体的に形成することができる。
【００１３】
[0021]利点の中でもとりわけ、本明細書に記載の実施例は、ｅリーダ装置などのパーソナルディスプレイ装置が、ユーザがどのようにペーパーバックのページをめくるかを模倣する方式で、ユーザがｅブックのページの中を遷移することを可能にするセンサを備えることを可能にする。
【００１４】
[0022]本明細書に記載の１つ又は複数の実施形態は、コンピューティング装置によって実施される方法、技法、及び動作がプログラム的に、又はコンピュータ実装方法として実施されることを実現する。プログラム的にとは、コード、又はコンピュータ実行可能命令の使用によることを意味する。プログラム的に実施されるステップは、自動であることがあり、又は自動ではないことがある。
【００１５】
[0023]本明細書に記載の１つ又は複数の実施形態は、プログラマティックモジュール又は構成要素を使用して実装することができる。プログラマティックモジュール又は構成要素は、プログラム、サブルーチン、プログラムの一部、或いは１つ又は複数の提示されたタスク又は機能を実施することのできるソフトウェア又はハードウェア構成要素を含むことができる。本明細書では、モジュール又は構成要素は、他のモジュール又は構成要素とは独立にハードウェア構成要素上に存在することができる。或いは、モジュール又は構成要素は、他のモジュール、プログラム、又はマシンの共有要素又はプロセスでよい。
【００１６】
[0024]さらに、１つ又は複数のプロセッサによって実行可能な命令により、本明細書に記載の１つ又は複数の実施形態を実装することができる。これらの命令は、コンピュータ可読媒体上で実施することができる。以下の図と共に示され、又は説明されるマシンは、本発明の実施形態を実装する命令を実施及び／又は実行することのできる処理リソース及びコンピュータ可読媒体の例を与える。特に、本発明の実施形態と共に示される多数のマシンは、プロセッサ（複数可）と、データ及び命令を保持する様々な形態のメモリとを含む。コンピュータ可読媒体の例には、パーソナルコンピュータ又はサーバ上のハードドライブなどの永続メモリ記憶装置が含まれる。コンピュータ記憶媒体の他の例には、ＣＤ又はＤＶＤユニット、（多くの携帯電話及び家庭用電子装置に搭載されるような）フラッシュ又は固体メモリ、磁気メモリなどのポータブル記憶ユニットが含まれる。コンピュータ、端末、ネットワーク使用可能装置（例えば、携帯電話などのモバイル装置）はすべて、プロセッサ、メモリ、及びコンピュータ可読媒体に格納された命令を利用するマシン及び装置の例である。さらに、コンピュータプログラム、又はそのようなプログラムを搬送することのできるコンピュータ使用可能搬送媒体の形態で実施形態を実装することができる。
【００１７】
[0025]システム説明
[0026]図１に、一実施形態による、音響入力機能を備えるコンピューティング装置上でｅブックサービスを提供するシステム１００を示す。図１の例では、システム１００は、例としてｅリーダ装置１１０として示される電子ディスプレイ装置と、ネットワークサービス１２０とを含む。ネットワークサービス１２０は、ｅリーダ装置１１０にインストールされる１つ又は複数のアプリケーションと共に様々なサービスを提供する複数のサーバ及び他のコンピューティングリソースを含むことができる。例として、一実装では、ネットワークサービス１２０は、ｅリーダ装置１１０と通信するｅブックサービスを提供することができる。ネットワークサービス１２０を通じて提供されるｅブックサービスは、例えば、ｅブックが販売、共有、ダウンロード、及び／又は格納されるサービスを含むことができる。より一般には、ネットワークサービス１２０は、コンテンツレンダリングサービス（例えば、ストリーミングメディア）又は他のネットワークアプリケーション環境若しくはサービスを含む様々な他のコンテンツサービスを提供することができる。
【００１８】
[0027]ｅリーダ装置１１０は、アプリケーション及びアプリケーションリソース（例えば、ｅブック、メディアファイル、文書）をレンダリング及び消費することができる任意の電子パーソナルディスプレイ装置に対応することができる。例えば、ｅリーダ装置１１０は、タブレット又はテレフォニー／メッセージング装置（例えば、スマートフォン）に対応することができる。一実装では、例えば、ｅリーダ装置１１０は、ネットワークサービス１２０に装置をリンクし、サービスを通じて提供されるｅブックを閲覧及び消費することを可能にするｅリーダアプリケーションを実行することができる。別の実装では、ｅリーダ装置１１０は、ネットワークサービス１２０からファイル又はストリーミングデータを受信するメディア再生又はストリーミングアプリケーションを実行することができる。例として、ｅリーダ装置１１０は、電子コンテンツ（例えば、ｅブック）を読むことなどの一定のアプリケーション活動を最適化するハードウェア及びソフトウェアを備えることができる。例えば、ｅリーダ装置１１０は、タブレット状の形状因子を有することができるが、変形が可能である。いくつかのケースでは、ｅリーダ装置１１０は、Ｅ−ｉｎｋディスプレイをも有することができる。
【００１９】
[0028]さらに詳細には、ネットワークサービス１２０は、装置インターフェース１２８、リソースストア１２２、及びユーザアカウントストア１２４を含むことができる。ユーザアカウントストア１２４は、ｅリーダ装置１１０をユーザ及びアカウント１２５に関連付けることができる。アカウント１２５はまた、１つ又は複数のアプリケーションリソース（例えば、ｅブック）にも関連付けることができ、アプリケーションリソースはリソースストア１２２に格納することができる。さらに説明するように、ユーザアカウントストア１２４は、個々のアカウント１２５に関するメタデータを保持し、所与のアカウントに関する消費のために購入され、又は利用可能にされたリソースを識別することができる。ｅリーダ装置１１０をユーザアカウント１２５に関連付けることができ、複数の装置を同一のアカウントに関連付けることができる。以下でより詳細に説明するように、ｅリーダ装置１１０は、購入され、或いはｅリーダ装置１１０のユーザに対して利用可能にされたリソース（例えば、ｅブック）を格納することができ、ユーザアカウント１２５に関して購入されたが、特定のコンピューティング装置に格納されないｅブック及び他のデジタルコンテンツアイテムを保存することができる。
【００２０】
[0029]図１の例を参照すると、ｅリーダ装置１１０は、ディスプレイ画面１１６及びハウジング１１８を含むことができる。一実施形態では、ディスプレイ画面１１６は、ジェスチャ（例えば、スワイプ）を含むタッチ入力を処理するためにタッチ感応性である。代替又は追加として、ハウジング１１８は、ユーザ操作に応答して音響信号を生成する触覚インターフェース１３２を含むことができる。音響信号はユーザ操作のタイプを示し、コンピューティング装置１１０によってユーザ入力として解釈される。図１の例では、触覚インターフェース１３２が、ハウジング１１８の側面又は縁部、及び／又はハウジング１１８の裏面（図示せず）に設けられる。代替実施形態では、触覚インターフェース１３２は、例えば、ｅリーダ装置１１０に関するリモートコントロール型機能を提供するために、メインハウジング１１８とは別々でよく、又はメインハウジング１１８から着脱可能でよい。
【００２１】
[0030]いくつかの実施形態では、ｅリーダ装置１１０は、ページ付けしたコンテンツを表示することに関する改善された機能を提供するための特徴を含む。ｅリーダ装置は、ページ付けしたコンテンツの中をユーザが遷移することを可能にするページ遷移ロジック１１５を含むことができる。ｅリーダ装置は、ｅブックからのページを表示し、ユーザがあるページ状態から別のページ状態に遷移することを可能にすることができる。特に、ｅブックは、ページ単位に順次レンダリングされるコンテンツを提供することができ、ｅブックは、単一のページ、複数のページ、又はその部分の形態のページ状態を表示することができる。したがって、所与のページ状態は、例えば、単一のページ、又は１度に表示される２つ以上のページと一致することができる。ページ遷移ロジック１１５は、ユーザが所与のページ状態から別のページ状態に遷移することを可能にするように動作することができる。いくつかの実装では、ページ遷移ロジック１１５は、単一のページ遷移、章遷移、又はクラスタ遷移（１度に複数のページ）を可能にする。
【００２２】
[0031]ページ遷移ロジック１１５は、ページ遷移を可能にするために、様々な種類のインターフェース及び動作に応答することができる。一実装では、ユーザは、例えば、触覚インターフェース１３２と対話することにより、ページ状態を遷移するためにページ遷移イベントを知らせることができる。例えば、ユーザは、ページ遷移の順次方向を示すために、特定の方向（例えば、上、下、左、又は右）に触覚インターフェース１３２をスワイプすることができる。より具体的には、スワイプされたとき、触覚インターフェース１３２は、ページ遷移命令及び／又は方向を表す音響信号（すなわち、音）を生成する。変形形態では、ユーザは、異なる種類の入力を通じて異なる種類のページ遷移入力（例えば、単一のページめくり、複数のページめくり、章めくり）を指定することができる。
【００２３】
[0032]いくつかの実施形態では、ユーザのページめくり入力を大きさと共に与えて、ページ状態の遷移の大きさ（例えば、遷移するページ数）を示すことができる。例えば、ユーザは、クラスタ又は章ページ状態遷移を引き起こすために、より高速に触覚インターフェース１３２をスワイプすることができ、より低速のスワイプが、（例えば、あるページからシーケンス中の次のページへの）単一のページ状態遷移を実施することができる。例として、ユーザは、触覚インターフェース１３２を通じて第１のタイプの入力（例えば、垂直方向の低速通常スワイプ運動）を与えて、単一のページめくりを示すことができ、第２のタイプの入力（例えば、垂直方向のフェーススワイプ運動）を与えて、複数ページ遷移を示すことができ、及び／又は第３のタイプの入力（例えば、水平方向のスワイプ）を与えて、章遷移を指定することができる。別の例として、ユーザは、（例えば、タップ、ジェスチャ、及び／又は他のタイプ接触を通じて）タッチ感応性ディスプレイ画面１１６と対話することにより、異なる種類又は大きさのページめくりを指定することができる。
【００２４】
[0033]いくつかの実施形態によれば、ｅリーダ装置１１０は、触覚インターフェース１３２との対話を通じて行われるユーザ入力を検出及び解釈するための音響インターフェース１３４を含む。例として、音響インターフェース１３４は、触覚インターフェース１３２（音響インターフェース１３４に極めて近接するハウジング１１８の領域に重ねることができ、又はそれと一体的に形成することができる）との間のユーザ操作（例えば、指スワイプ）を通じて行われる音響信号を検出することができる。音響インターフェース１３４は、オーディオ入力装置（例えば、マイクロフォン）を介して音響信号を受信又は検出することができ、様々な方法で音響入力を解釈することができる。例えば、ｅブックアプリケーションの状況では、特定のタイプの音響信号は、ページめくり又はページ／章遷移に対応することができる。より一般的な状況では、音響信号を音響インターフェース１３４によって解釈し、任意の数及び／又は組合せのユーザ入力コマンド（例えば、コンピューティング装置１１０をオン又はオフにする、ｅブックを開く、又は閉じるなど）を実施することができる。いくつかの実施形態では、ユーザプリファレンスに基づいて音響信号に応答するように音響インターフェース１３４を動的及び／又はプログラム的に構成することができる。
【００２５】
[0034]ハードウェア説明
[0035]図２に、本明細書に記載の１つ又は複数の実施形態と共に使用されるｅリーダ装置２００又は他の電子パーソナルディスプレイ装置の一例を示す。図２の例では、ｅリーダ装置２００は、例えば、図１に関して上記で説明した装置１１０に対応することができる。図２を参照すると、ｅリーダ装置２００は、プロセッサ２１０、ネットワークインターフェース２２０、ディスプレイ２３０、マイクロフォン２４２、触覚インターフェース２４４、及びメモリ２５０を含む。
【００２６】
[0036]プロセッサ２１０は、メモリ２５０に格納された命令を使用して機能を実装することができる。さらに、いくつかの実装では、プロセッサ２１０は、ネットワークインターフェース２２０を利用してネットワークサービス１２０（図１参照）と通信する。より具体的には、ｅリーダ装置２００は、ネットワークサービス１２０にアクセスして、様々な種類のリソース（例えば、ｅブックなどのデジタルコンテンツアイテム、構成ファイル、アカウント情報）を受信し、情報（例えば、ユーザアカウント情報、サービス要求など）を提供することができる。例えば、ｅリーダ装置２００は、ユーザがネットワークサービス１２０から購入或いはダウンロードすることを選ぶｅブックやメディアファイルなどのアプリケーションリソース２２１を受信することができる。ｅリーダ装置２００にダウンロードされるアプリケーションリソース２２１は、メモリ２５０に格納することができる。
【００２７】
[0037]いくつかの実装では、ディスプレイ２３０は、例えば、プロセッサ２１０から発生されたコンテンツを提供するために明るくなる液晶ディスプレイ（ＬＣＤ）又は発光ダイオード（ＬＥＤ）ディスプレイに対応することができる。いくつかの実装では、ディスプレイ２３０はタッチ感応性でよい。いくつかの変形形態では、ディスプレイ２３０は、コンテンツが表示される方式で従来の紙を模倣する電子ペーパー型ディスプレイに対応することができる。そのようなディスプレイ技術の例には、電気泳動ディスプレイ、エレクトロウェッティングディスプレイ、及びエレクトロフルイディックディスプレイが含まれる。
【００２８】
[0038]触覚インターフェース２４４は、ユーザ操作に基づいて音響信号を発生させ、或いは生成することができる。いくつかの実施形態では、触覚インターフェース２４４は、ｅリーダ装置２００のハウジングの表面に設けられた機械的構造である。例えば、触覚インターフェース２４４をハウスの表面に機械的に結合する（例えば、重ねる）ことができる。或いは、触覚インターフェースをハウジング自体の外面の部分として一体的に形成することができる。片手操作を可能にするために、同じ手で装置を保持しながら、ユーザの指（複数可）によって容易にアクセス可能である（例えば、スワイプすることができる）ハウジングのエリア又は領域内に触覚インターフェース２４４を配置することができる。例えば、ハウジングの側面及び／又は裏面に触覚インターフェース２４４を設けることができる。
【００２９】
[0039]いくつかの実施形態では、触覚インターフェース２４４は、純粋に機械的な手段で音響信号を生成する（すなわち、触覚インターフェース２４４は電子的構成要素及び／又は接続を含まない）。例えば、触覚インターフェース２４４は、タッチ又は衝撃に応答して共振し、音／振動を生成する材料（アルミニウムやプラスチックなど）から形成することができる。具体的には、触覚インターフェース２４４は、スワイプされたとき（例えば、連続してタッチ又は接触されたとき）に一連のトーン（協同的に「音」と呼ばれることがある）を生成するいくつかのピーク及び／又はバレーを含むことができる。さらに、スワイプの方向に応じて異なる音を生成するために、ピーク及びバレーは、変動するサイズ、形状、程度、配置、及び／又はピッチ（例えば、格子型）でよい。例えば、触覚インターフェース２４４上の下方スワイプ（例えば、デクレッシェンド）がインターフェース２４４に上の上方スワイプ（例えば、クレッシェンド）とははっきりと異なる音を生成するように、ピーク及びバレーを漸減するサイズで配置することができる。これにより、触覚インターフェース２４４によって生成された音響信号で（スワイプの）方向性を示すことが可能となる。
【００３０】
[0040]プロセッサ２１０は、マイクロフォン２４２、ディスプレイ２３０、又は他の入力機構（例えば、ボタン、キーボード、マウスなど）を含む様々なソースから入力を受信することができる。マイクロフォン２４２は、非専用多目的マイクロフォンに対応することができる。例えば、マイクロフォン２４２は、音楽及び／又は音声を検出するのに使用されるものを含む、多種多様な音響スペクトルの音を受けるように製造された「市販の」構成要素でよい。本明細書に記載の実施例を参照すると、プロセッサ２１０は、マイクロフォン２４２からの音響入力２３１に応答することができる。音響入力２３１は、例えば触覚インターフェース２４４によって生成された音響信号を含む、マイクロフォン２４２によって受信又は検出された任意及び／又はすべてのオーディオを含むことができる。一実施形態では、プロセッサ２１０は、マイクロフォン２４２からの音響入力２３１の音響信号を検出し、ページ遷移などのｅブック活動を促進又は改善するために音響信号に応答する。例として、音響信号は、単一のページめくり、複数のページめくり、及び／又は章めくりを示すことができる（すなわち、ユーザがｅブックに対するページめくり動作を実施しているとき）。
【００３１】
[0041]いくつかの実施形態では、メモリ２５０は、マイクロフォン２２２を介して受信される音響入力２３１の音響信号を監視し、特定のユーザ入力又はユーザ入力のタイプとして音響信号をさらに処理する音響センサロジック２１１を格納する。一実装では、音響センサロジック２１１をマイクロフォン２４２と一体化することができる。例えば、マイクロフォン２４２を、集積回路又は他のハードウェアロジックを含むモジュラ構成要素として設けることができ、そのようなリソースは、音響センサロジック２１１の一部又はすべてを提供することができる。例えば、マイクロフォン２４２の集積回路は、触覚インターフェース２４４によって生成される音響信号を監視し、及び／又は音響信号を（例えば、ページめくり動作に対応する）特定の種類又はタイプであるとして処理することができる。変形形態では、音響センサロジック２１１の一部又はすべてが、（メモリ２５０に格納された命令を利用する）プロセッサ２１０、又は１つ又は複数の代替処理リソースと共に実装される。
【００３２】
[0042]一実装では、ハウジングセンサロジック２１１は、音響信号（ＡＳ）検出ロジック２１３及びスワイプロジック２１５を含む。ＡＳ検出ロジック２１３は、（例えば、触覚インターフェース２４４に対するユーザ操作に応答して）マイクロフォン２４２によってピックアップされる音響入力２３１の音響信号を監視するための操作を実装する。スワイプロジック２１５は、（例えば、ユーザが触覚インターフェース２４４を上、下、左、又は右方向にスワイプすることに基づいて）音響信号の方向性又は音を検出し、特定のタイプの入力又はユーザ操作として相関させる。スワイプロジック２１５はまた、より高速なスワイプ運動とより低速なスワイプ運動とを区別するように、音響信号の大きさ又は程度を検出することができる。
【００３３】
[0043]ｅブックハウジング構成
[0044]図３Ａは、いくつかの実施形態による、触覚音響入力機構を有するｅリーダ装置３００の正面図である。ｅリーダ装置３００は、フロントベゼル３１２を有するハウジング３１０と、ディスプレイ画面３１４とを含む。ｅリーダ装置３００は、コンテンツ視野を高めるようにディスプレイ画面３１４によってほぼ占有される前面を有するように、ほぼ平板状又は矩形でよい。ディスプレイ画面３１４はディスプレイアセンブリの部分でよく、タッチ感応性でよい。例えば、ディスプレイ画面３１４を、タッチ感応性であるモジュラディスプレイアセンブリの構成要素として設け、製造工程及び組立て工程中にハウジング３１０と一体化することができる。
【００３４】
[0045]本明細書に記載の実施例によれば、ｅリーダ装置３００は、ハウジング３１０の側面又は縁部に設けられた触覚インターフェース３１８を含む。一実施形態では、例えば製造工程中に、触覚インターフェース３１８をハウジング３１０と一体的に形成する（例えば、ハウジング３１０内に成形する）ことができる。或いは、例えば組立て工程中に、ハウジング３１０の表面に触覚インターフェース３１８を重ね、又は（接着剤を使用して）取り付けることができる。触覚インターフェース３１８は、ユーザタッチに応答して共振又は振動によって音を生成する材料（アルミニウム、プラスチック、及び／又はハウジング３１０が作成される材料なら何でも）から作成される。さらに、触覚インターフェース３１８は、ユーザによって連続的にスワイプ或いはタッチされたときに別個の音（例えば、トーンのシーケンス）を生成するいくつかの離散的なピーク３１１及びバレー３１３を含むことができる。ピーク３１１及びバレー３１３は、例えば、スワイプの方向に応じて異なる音を生成するように、変動するサイズ、形状、程度、配置、及び／又はピッチでよい。
【００３５】
[0046]一実施例では、ピーク３１１は、変動する高さであり、漸減する大きさの順序で配置され、触覚インターフェース３１８が下方運動でスワイプされたときに、触覚インターフェース３１８が上方運動でスワイプされたときとは異なる音を生成する。具体的には、より高いピーク３１１（例えば、触覚インターフェース３１８の上端の方のもの）は、より短いピーク３１１（例えば、触覚インターフェース３１８の下端の方のもの）よりも大きく、及び／又は長く共振する可能性が高い。その結果、上方スワイプ動作は、音のクレッシェンドが伴うことがあるのに対して、下方スワイプ動作の後には、音のデクレッシェンドが続くことがある。これにより、触覚インターフェース３１８によって生成される音（すなわち、音響信号）に対して方向性が与えられ、したがってｅリーダ装置３００が、上方スワイプ運動と下方スワイプ運動に対応するユーザ入力を区別することが可能となる。
【００３６】
[0047]図３Ｂは、他の実施形態による、触覚音響入力機構を有するｅリーダ装置３５０の背面図である。ｅリーダ装置３５０は、ハウジング３２０と、ハウジング３２０の裏面に設けられた触覚インターフェース３２８とを含む。上述のように、触覚インターフェース３２８は、ハウジング３２０と一体的に形成され、或いはハウジング３２０の表面に重ねられる共振材料（例えば、アルミニウム又はプラスチック）から作成することができる。触覚インターフェース３２８は、ユーザによってスワイプ或いはタッチされたときに別個の音を生成する（例えば、変動するサイズ、形状、程度、配置、及び／又はピッチの）いくつかのピーク３２１及びバレー３２３からさらに作成される。
【００３７】
[0048]一実施例では、ピーク３２１は、変動する長さであり、漸減する大きさの順序で配置され、触覚インターフェース３２８が下方運動でスワイプされたときに、触覚インターフェース３２８が上方運動でスワイプされたときとは異なる音を生成する。具体的には、より広いピーク３２１（例えば、触覚インターフェース３２８の上端の方のもの）は、より狭いピーク３２１（例えば、触覚インターフェース３２８の下端の方のもの）よりも大きく、及び／又は長く共振する可能性が高い。その結果、上方スワイプ動作は、音のクレッシェンドが伴うことがあるのに対して、下方スワイプ動作の後には、音のデクレッシェンドが続くことがある。これにより、触覚インターフェース３２８によって生成される音（すなわち、音響信号）に対して方向性が与えられ、触覚インターフェース３２８との特定のタイプの対話を示すことができる。
【００３８】
[0049]図３Ｃは、他の実施形態による、触覚音響入力機構を有するｅリーダ装置３６０の正面図である。本明細書に記載の実施例によれば、ｅリーダ装置３６０は、ハウジング３１０の側面又は縁部に設けられた触覚インターフェース３６８を含む。上述のように、触覚インターフェース３６８は、スワイプされたときに別個の音を生成するいくつかの離散的なピーク３６１及びバレー３６３を含む。一実施例では、ピーク３６１は、非周期的構成で配置される。具体的には、触覚インターフェース３６８の上端の方のピーク３６１間の距離（すなわち、バレー３６３の幅）は、触覚インターフェース３６８の下端の方のピーク３６１間の距離よりも短い。言い換えれば、触覚インターフェース３６８は、下端よりも上端の方が細かいピッチを有する。その結果、触覚インターフェース３６８をスワイプすることにより、スワイプの方向（例えば、上方又は下方スワイプ運動）に応じて、変動する倍音を有する「チャーピング」音を生成することができる。したがって、ｅリーダ装置３００は、倍音に基づいて、触覚インターフェース３６８によって生成された音響信号の方向性を決定することができる。
【００３９】
[0050]図３Ｄは、他の実施形態による、触覚音響入力機構を有するｅリーダ装置３７０の背面図である。本明細書に記載の実施例によれば、ｅリーダ装置３７０は、ハウジング３２０の裏面に設けられた触覚インターフェース３７８を含む。上述のように、触覚インターフェース３７８は、非周期的構成で配置されたいくつかの離散的なピーク３７１及びバレー３７３を含み、スワイプされたときに別個の音を生成する。具体的には、触覚インターフェース３７８は、下端よりも上端の方が細かいピッチを有する。その結果、触覚インターフェース３７８をスワイプすることにより、スワイプの方向（例えば、上方又は下方スワイプ運動）に応じて、変動する倍音を有する「チャーピング」音を生成することができる。したがって、ｅリーダ装置３７０は、倍音に基づいて、触覚インターフェース３７８によって生成された音響信号の方向性を決定することができる。
【００４０】
[0051]図３Ａ〜３Ｄの例は、触覚インターフェースの配置及び／又は設計に関するいくつかの可能な構成を示すが、変形形態は、スワイプの方向に応じて互いに区別可能な固有の音を生成するために、サイズ（例えば、長さ、幅、及び／又は高さ）、形状、程度、配置、及び／又はピッチの任意の組合せのピーク及びバレーを有する触覚インターフェースを提供する。いくつかの実施形態では、左向き及び右向きスワイプ音が上方及び下方スワイプ音と区別可能となるように、ピーク及びバレーを格子型に配置することができる。さらに、触覚インターフェースがユーザによって（例えば、１つ又は２つの手を使用して）動作可能となるように、ハウジングの任意の表面の任意の場所に触覚インターフェースを設けることができる。他の実施形態は、同一のｅリーダ装置上の複数の触覚インターフェースの配置を企図する（例えば、１つをハウジングの側面に、１つをハウジングの裏面に）。例えば、各触覚インターフェースは、他の厳密なコピーでよく、したがってユーザに（例えば、冗長性の形で）より多くのアクセス可能性オプションを提供することができる。別の実施例では、ある触覚インターフェースは別の触覚インターフェースとは異なるものでよく（例えば、スワイプされたときに異なる音を生成する）、したがって、より高い程度の（例えば、多くのタイプの）ユーザ入力が可能となる。
【００４１】
[0052]さらに、ｅリーダ装置は、（例えば、複数の触覚インターフェースから同時に生成された）複数の同時の音響信号を検出するように装備することができる。例えば、ｅリーダ装置は、同時の音響信号を単一の組み合わせた入力として解釈することができる。そのような実施例では、特定のタイプの入力（例えば、ページめくり動作）として、又は一般的入力（例えば、ユーザ検出）として同時スワイプ動作を解釈することができる。
【００４２】
[0053]図３Ａ〜３Ｄの例は、ｅリーダ装置の片手操作を可能にし、及び／又は容易にするそれぞれの実施形態を示す。より具体的には、本明細書の実施形態は、ユーザが（例えば、指を使用して）ｅリーダ装置と対話することを可能にし、同一の手で装置を保持しながらの、ページフリッピングや章フリッピングなどの活動を容易にする。さらに、ｅリーダ装置の既存のリソース（万能マイクロフォンなど）を活用することにより、装置のハードウェアへの最小限の変更（それがある場合）で本明細書に記載の実施形態を実装することができる。例えば、ユーザ入力を発生させ、又は生成するのに使用される触覚インターフェースを既存のｅリーダ装置のハウジングに（すなわち、製造工程とは別に）適用することできる。或いは、既存のｅリーダ装置と共に使用される別々又はスタンドアロンの特徴として触覚インターフェースを設けることができる。
【００４３】
[0054]音響インターフェース
[0055]図４に、１つ又は複数の実施形態による、音響信号を検出及び処理する音響インターフェース４００を示す。音響インターフェース４００は、ｅリーダ装置１１０（図１参照）又は他のエンドユーザ装置によって実装することができる。したがって、音響インターフェース４００の動作環境を示すために、図１の要素を参照することができる。図４の実施例では、一実施形態によれば、音響インターフェース４００を操作して、特定のタイプのユーザ入力に対応する音響信号を受信及び処理することができる。より詳細には、音響インターフェース４００は、音響処理構成要素４１０、音−データ変換構成要素４２０、及びスワイプ解析構成要素４３０を含む。
【００４４】
[0056]音響処理構成要素４１０は、マイクロフォン４０１からオーディオ入力４１１を受信する。上述のように、マイクロフォン４０１は、音声入力又は周囲雑音を含む任意の形態のオーディオ又は音響入力を受信することのできる市販の非専用構成要素に対応することができる。音響処理構成要素４１０は、オーディオ入力４１１を処理して、検出可能な変調特性（例えば、振幅及び／又は波長）を有する音響信号４１３を識別することができる。音／データ変換構成要素４２０は、音響データ４１５を求めるために音響信号４１３を処理することができる。例えば、音／データ変換構成要素４２０は、アナログ音響信号４１３をサンプリングしてデジタルデータ（すなわち、音響データ４１５）に変換するアナログ−デジタル変換器（ＡＤＣ）に対応することができ、及び／又はアナログ−デジタル変換器（ＡＤＣ）を含むことができる。
【００４５】
[0057]スワイプ解析構成要素４３０は、音響データ４１５を解析して、音響信号４１３の１つ又は複数の特性を求める。例えば、上述のように、異なるスワイプ運動に応答して、異なる音響信号を触覚インターフェース１３２によって生成することができる（例えば、上方スワイプは、下方スワイプとは異なる「音」を生成することができる）。さらに、より高速なスワイプは、より短い音のバーストを生成することができるのに対して、より低速なスワイプはより長い音のストリームを生成する。したがって、スワイプ解析構成要素４３０は、例えば音響信号４１３の振幅変化又は変調に基づいて、音響信号４１３に関連するスワイプ運動の方向性を求めることができる。さらに、スワイプ解析構成要素４３０は、例えば音響信号４１３の長さ又は持続時間に基づいて、音響信号４１３に関連するスワイプ運動の程度又は大きさを求めることができる。
【００４６】
[0058]スワイプ解析構成要素４３０は、音響データ４１５を、（例えば、対応するスワイプ動作の方向／大きさに対応する）方向及び／又は大きさパラメータを含むスワイプ入力４１７に変換する。スワイプ入力４１７をさらなる処理のためにＣＰＵ４０２に供給することができる。ＣＰＵ４０２は、特定の動作を実施するコマンド又は命令としてスワイプ入力４１７を解釈することができる。一実施形態では、ＣＰＵ４０２は、ページ遷移ロジック１１５を実装する際に、スワイプ入力４１７をページめくり動作として解釈することができる。
【００４７】
[0059]ページ遷移機能
[0060]図５に、１つ又は複数の実施形態による、ページコンテンツを表示するｅリーダシステムを示す。ｅリーダシステム５００は、例えば、図１、２、３Ａ、及び３Ｂの実施例と共に示されるようなｅリーダ装置上で実行される構成要素を使用して、例えばアプリケーション又は装置として実装することができる。さらに、記載されるようなｅリーダシステム５００は、図１で示されるような状況で実装することができ、図２及び図３の実施例で説明されるように構成することができる。
【００４８】
[0061]図５の実施例では、システム５００は、ネットワークインターフェース５１０、ビューワ５２０、及びページ遷移ロジック５４０を含む。図１の実施例と共に説明したように、ネットワークインターフェース５１０は、データ及びプログラマティックリソースを受信するためにネットワークサービスと通信するプログラマティック構成要素に対応することができる。例えば、ネットワークインターフェース５１０は、ユーザが購入及び／又はダウンロードするｅブック５１１をネットワークサービスから受信することができる。ｅブック５１１は、ｅリーダ装置のメモリリソース（例えば、ｅリーダ装置２００のメモリ２５０を参照）と共にｅブックライブラリ５２５の部分として格納することができる。
【００４９】
[0062]ビューワ５２０は、ｅブックライブラリ５２５と共に提供される、選択されたｅブックからのページコンテンツ５１３にアクセスすることができる。ページコンテンツ５１３は、選択されたｅブックを含む１つ又は複数のページに対応することができる。ビューワ５２０は、所与の瞬間に、取り出されたページコンテンツ５１３に対応する１つ又は複数のページをディスプレイ画面上にレンダリングする。ページ状態は、特定のページ、又は所与の瞬間に表示されるページのセットに対応することができる。
【００５０】
[0063]ページ遷移ロジック５４０をビューワ５２０の特徴又は機能として設けることができる。或いは、プラグイン又はビューワ５２０から独立した機能としてページ遷移ロジック５４０を設けることができる。ページ遷移ロジック５４０は、ページ状態更新５４５をビューワ５２０に知らせることができる。ページ状態更新５４５はページ遷移を指定することができ、ビューワ５２０に新しいページをレンダリングさせる。ページ状態更新５４５を指定する際に、ページ遷移ロジック５４０は、単一のページめくり、複数のページめくり、又は章めくりを実現することができる。単一のページめくりに関するページ状態更新５４５は、表示中のページコンテンツのシーケンス中の次（順方向又は逆方向）にあるページコンテンツ５１３を提示することにより、ビューワ５２０にページ状態を遷移させる。複数ページめくりに関するページ状態更新５４５は、表示下のページ状態からシーケンス中の順方向又は逆方向のジャンプであるページコンテンツ５１３を提示することにより、ビューワ５２０にページ状態を遷移させる。同様に、章めくりに関するページ状態更新５４５は、現ページ状態の章に対するシーケンス中の次の章（順方向又は逆方向）であるページコンテンツ５１３を提示することにより、ビューワ５２０にページ状態を遷移させる。ページ状態更新５４５は、次に表示されるページ状態を表す遷移値（例えば、１ページ遷移又は１０ページ遷移）又は遷移タイプ（例えば、ページ遷移と章遷移）を示すことができる。
【００５１】
[0064]いくつかの実施形態によれば、ページ遷移ロジック５４０は、ページめくり（又はページ遷移）を示す、音響インターフェース４００によって発生されるスワイプ入力４１７を含む異なる種類の入力に応答することができる。スワイプ入力４１７は、例えば、単一ページめくり、複数ページめくり、又は章めくりを示すことができる。ページめくり又は遷移のタイプは、スワイプ入力４１７のパラメータ（例えば、方向及び／又は大きさ）から求めることができる。上述のように、例えば、ユーザが触覚インターフェースと対話する（例えば、スワイプする）ことに応答して触覚インターフェースによって生成される音響信号からスワイプ入力４１７を導出することができる。したがって、スワイプ入力４１７は、スワイプ動作の方向（例えば、上、下、左、又は右）及び／又はスワイプの大きさ（例えば、高速又は低速）を指定し、或いは示すことができる。同様に、タッチアンドホールドなどの他の入力を複数ページめくり又は章入力として解釈することができる。さらに、タップやスワイプなどの動作を章遷移と解釈することができる。
【００５２】
[0065]スワイプ入力４１７を受信したことに応答して、ページ遷移ロジック５４０が、ビューワ５２０にページ状態更新５４５を知らせる。一実施形態では、ページ遷移ロジック５４０は、スワイプ入力４１７の方向をページめくり方向として解釈することができる。例えば、ページ遷移ロジック５４０は、下方スワイプ方向を順方向ページめくり命令と関連付けることができる。ページ遷移ロジック５４０は、上方スワイプ方向を逆方向ページめくり命令とさらに関連付けることができる。さらに、一実施形態では、ページ遷移ロジック５４０は、スワイプ入力４１７の大きさを単一ページ、複数ページ、又は章遷移命令として解釈することができる。例えば、ページ遷移ロジック５４０は、低速の（又は通常の）スワイプ速度を単一のページめくりと関連付けることができる。ページ遷移ロジック５４０は、より高速なスワイプ速度を複数のページめくりとさらに関連付けることができる（例えば、遷移するページ数はスワイプの速度に依存する）。次いで、ビューワ５２０は、ページコンテンツ５１３を更新して、ページ状態更新５４５によって表される変更を反映する（例えば、単一ページ遷移、複数ページ遷移、又は章遷移）。
【００５３】
[0066]方法
[0067]図６に、１つ又は複数の実施形態による、ページ付けされたコンテンツを表示する方法を示す。図６の実施例を説明する際に、説明しているステップ又はサブステップを実施する適切な構成要素を示すために、図４及び５と共に説明したような構成要素を参照することができる。
【００５４】
[0068]図５の実施例を参照すると、ビューワ５２０が、初期ページ状態に対応するページコンテンツを表示する（６１０）。例えば、ビューワ５２０は、ユーザが読んでいるページに対応する単一のページを表示することができ、或いは、ユーザのディスプレイモードプリファレンスを反映するように複数のページを並べて表示することができる。
【００５５】
[0069]次いで、ｅリーダ装置５００は、装置５００に設けられた、又は装置５００の音響範囲内にある触覚インターフェースによって生成された音響信号を（例えば、音響インターフェース４００を介して）検出することができる（６２０）。例えば、音響処理構成要素４１０は、マイクロフォン４０１から受信されるオーディオ入力４１１から音響信号４１３を検出することができる。より具体的には、音響処理構成要素４１０は、オーディオ入力４１１を処理して、既知の検出可能な変調特性（例えば、振幅及び／又は波長）に基づいて音響信号４１３を識別することができる。
【００５６】
[0070]次いで、音響信号を処理してスワイプ情報を求める（６３０）。スワイプ情報は、例えば、受信した音響信号に関連するスワイプ動作の方向性及び／又は大きさを含むことができる（６３２）。例えば、音／データ変換構成要素４２０が、受信した音響信号４１３をサンプリングして、デジタルデータ（例えば、音響データ４１５）に変換することができる。次いで、スワイプ解析構成要素４３０は、音響データ４１５を解析して、音響信号４１３の１つ又は複数の特性を求めることができる。上述のように、異なるスワイプ運動に応答して、触覚インターフェースによって異なる音響信号を生成することができる。特に、スワイプ解析構成要素４３０は、音響信号４１３に関連するスワイプ運動の方向性（例えば、振幅変化また又は信号変調に基づいて）及び／又は大きさ（例えば、信号の長さ又は持続時間に基づいて）を求めることができる。
【００５７】
[0071]ページ状態遷移を可能にするためにスワイプ情報をさらに解釈することができる（６４０）。スワイプ情報は、単一ページめくり（６４２）、複数ページめくり（６４４）、又は章めくり（６４６）のうちの１つ又は複数を示すことができる。例えば、ページ遷移ロジック５４０は、音響インターフェース４００からスワイプ入力４１７を受信し、スワイプ入力４１７で提供される情報を特定のタイプのページ状態遷移にマッピングすることができる。特に、スワイプ入力４１７の方向（例えば、上方又は下方）をページめくり方向（例えば、逆方向又は順方向）として解釈することができる。さらに、スワイプ入力４１７の大きさ（例えば、高速又は低速）を単一ページ、複数ページ、又は章遷移命令として解釈することができる。さらに、スワイプ入力４１７と共に含まれる追加の方向性情報（例えば、左方向又は右方向）を章めくり方向（例えば、逆方向又は順方向）として解釈することができる。
【００５８】
[0072]実施すべきページ状態遷移のタイプを判定するとき、ｅリーダ装置５００は、ページ状態遷移に一致する新しいページ状態を求める（６５０）。次いで、ｅリーダ装置５００のビューワ５２０に新しいページ状態を表示する（６６０）。例えば、ページ遷移ロジック５４０は、スワイプ入力４１７に応答して、対応するページ状態更新５４５をビューワ５２０に知らせることができる。したがって、スワイプ入力４１７が単一のページめくりを示す場合、ページ状態更新５４５は、順方向又は逆方向ページめくりを指定することができる。スワイプ入力４１７が複数ページめくりを示す場合、ページ状態更新５４５は、順方向にスキップし、又はジャンプバックするいくつかのページを指定することができる。スワイプ入力４１７が章変更を示す場合、ページ状態更新５４５は、順方向又は逆方向の章ジャンプを指定することができる。
【００５９】
[0073]添付の図面を参照して例示的実施形態を本明細書で詳細に説明したが、特定の実施形態及び細部に対する変形形態が、本開示によって包含される。本明細書に記載の実施形態の範囲は、特許請求の範囲及びその均等物によって定義されるものとする。さらに、個々に、又は一実施形態の部分として説明した特定の特徴を、他の個々に説明した特徴、又は他の実施形態の部分と組み合わせることができることが企図される。したがって、組合せの説明の欠如は、本発明者（ら）がそのような組合せに対する権利を主張することを妨げないものとする。
【００６０】
本実施形態について更に説明する。本実施形態のｅリーダ装置２００は、ユーザにより片手で保持されて、例えば電子書籍（ｅブック）を閲覧可能な端末装置により構成される。端末装置により構成されたｅリーダ装置２００は、互いに対向する表面及び裏面と、表面及び裏面の間に設けられた側面とを含む略直方体形状を有し、前述のように、ディスプレイ２３０、ハウジング、マイクロフォン２４２及びプロセッサ２１０を含む。
【００６１】
ディスプレイ２３０は、プロセッサ２１０等の制御に基づき、種々のコンテンツを表示可能な表示手段であって、ｅリーダ装置２００の表面に構成される。ディスプレイ２３０は、例えば、電子書籍を表示する。
【００６２】
ハウジングは、ｅリーダ装置２００の筐体を構成する部材であって、ｅリーダ装置２００の裏面及び側面を構成する。マイクロフォン２４２は、ｅリーダ装置２００の周辺で発生する音響信号を取得可能である。
【００６３】
ｅリーダ装置２００のハウジングは、凹凸部を少なくとも一部に有する。凹凸部は、所定方向に交互に配列された凸部及び凹部（ピーク及びバレー）からなり、触覚インターフェースを構成する。
【００６４】
プロセッサ２１０は、ソフトウェア及び他のハードウェアとの協働により、ｅリーダ装置２００を制御する。プロセッサ２１０は、特定手段及び制御手段を含む。
【００６５】
特定手段は、マイクロフォン２４２により検出された音響信号を取得する。本実施形態では、マイクロフォン２４２は、ユーザによる凹凸部を擦る操作により発生する音響信号を検出する。従って、特定手段は、ユーザが凹凸部を擦る操作によって発生した音響信号を取得する。
【００６６】
特定手段は、例えばスワイプ解析構成要素４３０に相当し、音響信号に基づいてユーザによる操作内容を特定する。例えば、特定手段は、取得された音響信号を、電子書籍のページ捲り操作入力として特定することができる。
【００６７】
制御手段は、例えばページ遷移ロジック５４０に相当し、特定手段により特定された操作内容に応じて、ディスプレイ２３０に表示されたコンテンツに関する処理を制御する。具体的には、制御手段は、音響信号に基づいてページ捲り操作入力が特定された場合には、ディスプレイ２３０に表示された電子書籍のページ捲り制御を行う。ページ捲り制御は、取得された音響信号及び受け付けられた操作入力情報に応じて、順方向のページ遷移、逆方向のページ遷移、１ページのページ遷移、所定数のページの遷移、章の遷移等であることができる。
【００６８】
次に、ハウジングにおける凹凸部が設けられる位置について説明する。例えば、図３Ｂ及び図３Ｄ等に示すように、凹凸部は、ｅリーダ装置２００の裏面においてハウジングの一部に設けられる。より具体的には、ディスプレイ２３０に表示されるコンテンツの上方向及び下方向をそれぞれハウジングにおける上方向及び下方向としたときに、ハウジングは、ｅリーダ装置２００の裏面における上下方向中央部より上方に凹凸部を有してもよい。ｅリーダ装置２００の裏面における上下方向は、例えば、ｅリーダ装置２００の裏面の長手方向である。これにより、片手でｅリーダ装置２００を保持した場合に第２指の先が触れる位置に凹凸部が設けられることとなるので、保持する手及び指により凹凸部を擦る操作を行い、音響信号を発生させることが容易である。従って、片手で保持したときに、保持した手でディスプレイをタッチ操作するのが困難であるような大きさを有するｅリーダ装置２００であっても、ｅリーダ装置２００を保持した手で種々の操作を実施できる。
【００６９】
図７を参照して、ｅリーダ装置の裏面においてハウジングに設けられる凹凸部の他の例を説明する。図７に示すｅリーダ装置７００では、ｅリーダ装置７００裏面におけるハウジング７１０の外縁を構成する左辺７２１及び右辺７２２の中心位置から左にオフセットされた位置に、凹凸部７１８が設けられている。ｅリーダ装置７００裏面における左右方向は、例えば、ｅリーダ装置７００裏面における短手方向である。凹凸部７１８の凸部７１１及び凹部７１３は、下方向に向かうに従って、左辺７２１及び右辺７２２の中心位置に近付く方向に沿って配列される。これにより、第２指の指先を動かしやすい方向に沿って凸部７１１及び凹部７１３が配列されることとなるので、ｅリーダ装置２００を保持した手の第２指による音響信号の発生が容易となる。なお、図７に示す例では、凹凸部７１８は、左辺７２１及び右辺７２２の中心位置から左にオフセットされた位置に設けられているが、右にオフセットされた位置に設けられることとしてもよい。
【００７０】
また、図３Ａ及び図３Ｃ等に示すように、ハウジングは、ｅリーダ装置の側面の一部において凹凸部を有してもよい。より具体的には、ディスプレイ２３０に表示されるコンテンツの上方向及び下方向をそれぞれハウジングにおける上方向及び下方向としたときに、ハウジングは、ｅリーダ装置の側面における上下方向中央部より上方に凹凸部を有してもよい。これにより、片手でｅリーダ装置２００を保持した場合に第３指の先が触れる位置に凹凸部が設けられることとなるので、保持する手及び指により凹凸部を擦る操作を行い、音響信号を発生させることが容易である。
【００７１】
また、図３Ａ〜３Ｄ及び図７に示すように、凹凸部は、凹部及び凸部の間隔及び／又は配列の方向に直行する方向の幅が、配列の一方側から他方側に進むに従って漸次変化するように設けられることとしてもよい。この場合には、ユーザが、凹凸部を第１の方向に擦る操作により発生する第１の音響信号は、第１の方向の反対の方向である第２の方向に擦る操作により発生する第２の音響信号と異なることとなる。これにより、プロセッサ２１０の操作受付手段は、第１及び第２の音響信号に基づく操作入力情報のそれぞれを、異なる操作入力情報として受け付けるように構成することができる。例えば、操作受付手段は、第１の音響信号を順方向のページ捲り操作入力として受け付け、第２の音響信号を逆方向のページ捲り操作入力として受け付けることができる。
【００７２】
また、ｅリーダ装置の裏面及び／又は側面においてハウジングに凹凸部が設けられたｅリーダ装置では、ｅリーダ装置を片手で保持した場合に指先が触れる位置に凹凸部が設けられることとなるので、ｅリーダ装置に対して指先が滑りにくく、ｅリーダ装置の保持が容易である。
【００７３】
次に、図８Ａ及び図８Ｂを参照して、本発明の更なる他の実施形態を説明する。図８Ａ及び図８Ｂは、端末装置に着脱可能なケースを示す図である。図８Ａ及び図８Ｂに示されるケースが着脱される端末装置は、ディスプレイ、マイクロフォン及びプロセッサを含み、前述したｅリーダ装置２００と同様のｅリーダ装置を構成可能である。即ち、図８Ａ及び図８Ｂに示されるケースが着脱される端末装置は、互いに対向する表面及び裏面と、表面及び裏面の間に設けられた側面とを含む略直方体形状を有する。また、端末装置が備えるディスプレイは、端末装置の表面に構成される。図８Ａ及び図８Ｂに示されるケースは、端末装置の裏面及び側面の少なくとも一部を覆う。
【００７４】
図８Ａに示されるケース８１０は、その側面に上下方向に配列された複数の凸部及び凹部からなる凹凸部８１８を有する。また、図８Ｂに示されるケース８２０は、その裏面に、下方向に向かうに従って裏面の外縁を構成する左辺及び右辺の中心位置に近付く方向に沿って配列された複数の凸部及び凹部からなる凹凸部８２８を有する。
【００７５】
ケース８１０または８２０が装着された端末装置では、ユーザがケースの凹凸部を擦る操作により音響信号が発生し、マイクロフォンが、発生した音響信号を検出する。プロセッサの特定手段により、検出された音響信号に基づきユーザの操作内容が特定される。そして、プロセッサの制御手段は、操作内容に応じて、ディスプレイに表示された電子書籍等のコンテンツのページ遷移等の制御を実施する。
【００７６】
ケース８１０または８２０によれば、筐体に予め凹凸部の如き構成が設けられていない端末装置であっても、端末装置を保持した手の指先でケースの一部を擦るといった容易な操作により、ページ遷移等の制御を行うことが可能となる。また、ケース８１０または８２０が装着された端末装置では、その裏面及び／又は側面における、端末装置を片手で保持した場合に指先が触れる位置に凹凸部が設けられることとなるので、端末装置に対して指先が滑りにくく、端末装置の保持が容易である。
【００７７】
次に、以上述べた本発明の各実施形態から抽出される技術的思想を請求項の記載形式に準じて列挙する。本発明に係る技術的思想は上位概念から下位概念まで、様々なレベルやバリエーションにより把握できるものであり、以下の記載に本発明が限定されるものではない。
【００７８】
（項目１）
ハウジングと、
画面を含むディスプレイアセンブリであって、前記ハウジングが、前記画面が閲覧可能となるように前記画面を少なくとも部分的に迂回する、ディスプレイアセンブリと、
前記ハウジングの表面に設けられた触覚インターフェースであって、ユーザ操作に基づいて複数の音響信号を生成すべきである触覚インターフェースと、
前記ハウジングの一部と共に設けられるオーディオ入力装置であって、前記触覚インターフェースによって生成された前記音響信号を検出すべきであるオーディオ入力装置と、
前記ハウジング内に設けられたプロセッサであって、
ページ付けされたコンテンツアイテムに関する初期ページ状態の少なくとも一部を表示すること、
前記触覚インターフェースによって生成された前記複数の音響信号を複数のユーザ入力としてそれぞれ解釈することであって、第１のタイプの１つ又は複数の音響信号がページ遷移命令に対応すること、
少なくとも前記初期ページ状態を表示することから、前記ページ遷移の値又はタイプによって決定される別のページ状態を表示することに遷移することにより、前記第１のタイプの音響信号に応答すること
を行うように動作するプロセッサと
を備えるコンピューティング装置。
（項目２）
前記触覚インターフェースが、前記ユーザ操作に応答して前記複数の音響信号を生成するために複数のピーク及びバレーを備える、項目１に記載のコンピューティング装置。
（項目３）
前記複数のピーク及びバレーが、異なるユーザ操作に応答して前記触覚インターフェースが異なる音響信号を生成することを可能にする格子型に構成される、項目２に記載のコンピューティング装置。
（項目４）
前記ユーザ操作が、１つ又は複数の方向の指スワイプを含む、項目３に記載のコンピューティング装置。
（項目５）
前記複数のピーク及びバレーが、変動する程度又はサイズであり、それによって、スワイプされたとき、前記触覚インターフェースが、前記指スワイプの方向性を示す音響信号を生成する、項目４に記載のコンピューティング装置。
（項目６）
前記プロセッサがさらに、
第１の方向の指スワイプによって生成された前記音響信号を順方向ページ遷移命令として解釈し、
前記初期ページ状態を表示することから、後続のページ状態を表示することに遷移することによって前記順方向ページ遷移命令に応答すべきである、項目５に記載のコンピューティング装置。
（項目７）
前記プロセッサがさらに、
第２の方向の指スワイプによって生成された前記音響信号を逆方向ページ遷移命令として解釈し、
前記初期ページ状態を表示することから、前のページ状態を表示することに遷移することによって前記逆方向ページ遷移命令に応答すべきである、項目６に記載のコンピューティング装置。
（項目８）
前記第２の方向が前記第１の方向の反対である、項目７に記載のコンピューティング装置。
（項目９）
前記触覚インターフェースが前記ハウジングの裏面に設けられる、項目１に記載のコンピューティング装置。
（項目１０）
前記触覚インターフェースが前記ハウジングの側面に設けられる、項目１に記載のコンピューティング装置。
（項目１１）
前記触覚インターフェースが前記ハウジングの表面に重ねられる、項目１に記載のコンピューティング装置。
（項目１２）
前記触覚インターフェースが、前記ハウジングの表面と一体的に形成される、項目１に記載のコンピューティング装置。
（項目１３）
コンピューティング装置を操作する方法であって、１つ又は複数のプロセッサによって実装され、
ページ付けされたコンテンツアイテムに関する初期ページ状態の少なくとも一部を表示するステップと、
前記コンピューティング装置の触覚インターフェースによって生成された複数の音響信号を複数のユーザ入力としてそれぞれ解釈するステップであって、第１のタイプの１つ又は複数の音響信号がページ遷移命令に対応するステップと、
少なくとも前記初期ページ状態を表示することから、前記ページ遷移の値又はタイプによって決定される別のページ状態を表示することに遷移することにより、前記第１のタイプの音響信号に応答するステップと
を含む方法。
（項目１４）
前記触覚インターフェースが、前記ユーザ操作に基づいて前記複数の音響信号を生成するために複数のピーク及びバレーを備える、項目１３に記載の方法。
（項目１５）
前記複数のピーク及びバレーが、異なるユーザ操作に応答して前記触覚インターフェースが異なる音響信号を生成することを可能にする格子型に構成される、項目１４に記載の方法。
（項目１６）
前記ユーザ操作が、１つ又は複数の方向の指スワイプを含む、項目１５に記載の方法。
（項目１７）
前記複数のピーク及びバレーが、変動する程度又はサイズであり、それによって、スワイプされたとき、前記触覚インターフェースが、前記指スワイプの方向性を示す音響信号を生成する、項目１６に記載の方法。
（項目１８）
第１の方向の指スワイプによって生成された前記音響信号を順方向ページ遷移命令として解釈するステップと、
前記初期ページ状態を表示することから、後続のページ状態を表示することに遷移することによって前記順方向ページ遷移命令に応答するステップと
をさらに含む、項目１７に記載の方法。
（項目１９）
第２の方向の指スワイプによって生成された前記音響信号を逆方向ページ遷移命令として解釈するステップであって、前記第２の方向が前記第１の方向の反対であるステップと、
前記初期ページ状態を表示することから、前のページ状態を表示することに遷移することによって前記逆方向ページ遷移命令に応答するステップと
をさらに含む、項目１８に記載の方法。
（項目２０）
１つ又は複数のプロセッサによって実行されたとき、前記１つ又は複数のプロセッサに、
ページ付けされたコンテンツアイテムに関する初期ページ状態の少なくとも一部を表示すること、
前記コンピューティング装置の触覚インターフェースによって生成された複数の音響信号を複数のユーザ入力としてそれぞれ解釈することであって、第１のタイプの１つ又は複数の音響信号がページ遷移命令に対応すること、及び
少なくとも前記初期ページ状態を表示することから、前記ページ遷移の値又はタイプによって決定される別のページ状態を表示することに遷移することにより、前記第１のタイプの音響信号に応答すること
を含む動作を実施させる命令を格納する非一時的コンピュータ可読媒体。
【符号の説明】
【００７９】
１００…システム、１１０…リーダ装置、１１５…ページ遷移ロジック、１１６…ディスプレイ画面、１１８…ハウジング、１２０…ネットワークサービス、１２２…リソースストア、１２４…ユーザアカウントストア、１２５…アカウント、１２８…装置インターフェース、１３２…触覚インターフェース、１３４…音響インターフェース、２００…ｅリーダ装置、２１０…プロセッサ、２１１…音響センサロジック、２１３…音響信号（ＡＳ）検出ロジック、２１５…スワイプロジック、２２０…ネットワークインターフェース、２２１…アプリケーションリソース、２３０…ディスプレイ、２３１…音響入力、２４２…マイクロフォン、２４４…触覚インターフェース、２５０…メモリ、４００…音響インターフェース、４０１…マイクロフォン、４１０…音響処理構成要素、４１１…オーディオ入力、４１３…音響信号、４１５…音響データ、４１７…スワイプ入力、４２０…音−データ変換構成要素、４３０…スワイプ解析構成要素、５１０…ネットワークインターフェース、５１１…ｅブック、５１３…ページコンテンツ、５２０…ビューワ、５２５…ｅブックライブラリ、５４０…ページ遷移ロジック、５４５…ページ状態更新、７００…ｅリーダ装置、７１０…ハウジング、７１８…凹凸部、８１０…ケース、８１８…凹凸部、８２０…ケース、８２８…凹凸部。
【図１】
2018198078.tif 000003
【図２】
2018198078.tif 000004
【図３Ａ】
2018198078.tif 000005
【図３Ｂ】
2018198078.tif 000006
【図３Ｃ】
2018198078.tif 000007
【図３Ｄ】
2018198078.tif 000008
【図４】
2018198078.tif 000009
【図５】
2018198078.tif 000010
【図６】
2018198078.tif 000011
【図７】
2018198078.tif 000012
【図８Ａ】
2018198078.tif 000013
【図８Ｂ】
2018198078.tif 000014